(57)【要約】【課題】無線移動局がパス多重された他の移動局に向けて送られた信号を受信した場合であっても当該信号から雑音（ビーガー音）を発生しないようにするアダプティブアレー方式の無線基地局を提供する。【解決手段】２つの移動局ＰＳ−Ａと、ＰＳ−Ｂとがパス多重されている場合に、クロック生成部５２は、移動局ＰＳ−Ｂへのシンボルの送信時刻をＰＳ−Ａへのシンボルの送信時刻に対して０．５シンボル期間だけずらすようにクロックを生成する。このような送信タイミングの調整により、移動局では、パス多重された他方の移動局へ向けて送られたシンボルを受信したとしても、そのシンボルの受信時刻は、自局へのシンボルの受信時刻とずれているため、同期が合わず、受信した他の移動局へのシンボルをもとどおりに復調できないので、意味のない雑音（ビーガー音）を発生させることがない。【選択図】図５
2010161782.tif 000002
【特許請求の範囲】
【請求項１】
複数の移動局への送信信号を異なる指向性パターンで空間多重化して送出するアダプティブアレー方式の無線基地局であって、
前記複数の移動局の内、応答ベクトルが近似している移動局の集合を対象に、送信信号中の送信シンボルのクロック位相を、互いにずらして空間多重化する多重化手段
を備えたことを特徴とする無線基地局。
【請求項２】
前記多重化手段は、N個の移動局への送信シンボルの各々を、Ｋ／Ｎ（Ｋ＝０、１、２、…、Ｎ−１）×Ｔ（シンボル期間）と０を含む任意のシンボル数の時間だけずらして空間多重化することを特徴とする請求項１に記載の無線基地局。
【請求項３】
前記多重化手段は、
前記複数の移動局から受信した信号に基づいて、当該移動局の基地局に対する応答ベクトルを算出する手段を備え、
前記応答ベクトルに基づいて、前記対象とする応答ベクトルが近似している移動局を選択することを特徴とする請求項１または２の何れかに記載の無線基地局。
【請求項４】
複数の移動局への送信信号を異なる指向性パターンで空間多重化して送出するアダプティブアレー方式の無線基地局における無線通信方法であって、
前記複数の移動局の内、応答ベクトルが近似している移動局の集合を対象に、送信信号中の送信シンボルのクロック位相を、互いにずらして空間多重化するステップを備えたことを特徴とする無線通信方法。
【発明の詳細な説明】
【技術分野】
【０００１】
本発明は、移動局への送信信号を異なる指向性パターンで空間多重化して送出するアダプティブアレー方式の無線基地局に関する。
【背景技術】
【０００２】
近年、ディジタル方式の通信機器においては、伝送の効率化のためディジタル情報信号（ベースバンド信号）で搬送波を変調することにより、情報の伝送が行われている。
ディジタル通信では、伝送速度の向上や時分割多重により同一周波数に複数の利用者を収容する多チャンネル化により、周波数資源の有効利用が図られている。さらに、アダプティブアレイ方式を利用して同一周波数で同一時刻に複数のチャネルを収容する空間多重方式が注目されている。
【０００３】
アダプティブアレイ方式とは、複数のアンテナにより適応的に指向性パターン（アレイアンテナパターンとも呼ばれる。）を作り、特定方向の利用者だけに電波が届くようにする方式である。例えば、送信回路と受信回路とアンテナとからなる無線部を４組み備えたアダプティブアレイ装置の場合、送信時に各送信回路毎に送信信号の振幅及び位相を、受信時には受信回路毎に振幅及び位相を、それぞれ調整することによって、送信時、受信時のそれぞれの指向性パターンを形成することができる。アダプティブアレイ方式の詳細については「空間領域における適応信号処理とその応用技術論文特集」（電子通信学会論文誌 VOL.J75-B-II  NO.11 NOVEMBER）に記載されているので、ここでは詳細な説明を省略する。
【０００４】
アダプティブアレイ方式の無線基地局では、複数の移動局に対して互いに異なる指向性パターンを形成することにより１つの周波数で同時刻に複数の移動局を多重して同時に通信することができる。この通信は、パス分割多元接続（ＰＤＭＡ、Path Division Multiple Access、以下パス多重と呼ぶ。）通信と呼ばれる。このＰＤＭＡについては、「パス分割多元接続（ＰＤＭＡ）移動通信方式」（信学技報RCS93-84(1994-01),pp37-44）に記載されているので、詳細については省略する。
【０００５】
以上のように、アダプティブアレー方式を用いた無線基地局では、異なる指向性パターンを形成することにより一波（１つの周波数）を有効に利用することができる。
【先行技術文献】
【特許文献】
【０００６】
【特許文献１】特開平９−２６０９３９号公報
【発明の概要】
【発明が解決しようとする課題】
【０００７】
しかしながら、アダプティブアレー方式を用いた無線基地局では、同一周波数を割当てられパス多重された移動局が移動に伴い接近した場合に、移動局は、他方の移動局に向けて送られた信号を拾ってしまうことになる。図９は、移動局が他の移動局へ向けて送られた信号を受信する例を示す説明図である。同図においてＰＳ−Ａ〜ＰＳ−Ｄは移動局を示し、これらが同一の周波数を割当てられているものとする。実線で示した３１、３２、３３、３４は、それぞれ移動局ＰＳ―Ａ、ＰＳ―Ｂ、ＰＳ−Ｃ、ＰＳ―Ｄを指向する通信チャンネルの指向性パターンを表わしている。同図の矢印ａで示すようにＰＳ−Ｂが移動したとすると、移動後のＰＳ−Ｂは、基地局からＰＳ−Ａへ向けて送られた信号を受信してしまう状況が発生する。そして、ＰＳ−Ｂは、当該受信した信号からＰＳ−Ａへのメッセージ列を復調して、意味のない雑音（ビーガー音）を発生することになる。
【０００８】
なぜなら、基地局では、移動局へ送る信号をその移動局が保持する移動局固有の秘密鍵コードによってしかデスクランブルできないように秘話スクランブル処理して送ることとしている。従って、移動局では、自局へ向けて送られた信号しか正しくデスクランブルすることができず、他の移動局への信号はたとえ受信したとしても、秘密鍵コードが合わないためデスクランブルにより、意味のないメッセージ列に変換され、それが雑音（ビーガー音）となって出力されるからである。このようなビーガー音は、ユーザに不快感をもたらし適切でない。
【０００９】
ビーガー音の発生を防止するためには、移動局側で信号をスピーカに出力する前に、当該信号がビーガー音であるか音声であるかを周波数解析技術等を利用して判定し、ビーガー音と判定した場合には、当該信号をスピーカに出力しないようにする方法が考えられる。しかしながら、当該判定手段は完璧を期し難い上に、すべての移動局に当該判定手段を搭載する必要があり移動局の簡易性が損なわれる。
【００１０】
そこで、本発明は、移動局がパス多重された他の移動局に向けて送られた信号を受信した場合であっても、移動局の機能の追加をすることなく、移動局で当該信号からビーガー音を発生しないようにする無線基地局を提供することを目的とする。
【課題を解決するための手段】
【００１１】
上記の問題点を解決するため、本発明の無線基地局は、移動局への送信信号を異なる指向性パターンで空間多重化して送出するアダプティブアレー方式の無線基地局であって、前記複数の移動局への送信信号中の送信シンボルのクロック位相を、移動局の方向に拘らず、互いに、ずらして空間多重化する多重化手段を備える。
【発明の効果】
【００１２】
本発明の無線基地局は、移動局への送信信号を異なる指向性パターンで空間多重化して送出するアダプティブアレー方式の無線基地局であって、前記複数の移動局への送信信号中の送信シンボルのクロック位相を、移動局の方向に拘らず、互いに、ずらして空間多重化する多重化手段を備える。
この構成によれば、移動局では、他の移動局へ向けて送られた信号を受信した場合でも、そのシンボルを取得する同期クロックが自局へのシンボルを取得する同期クロックと異なることから、正しくシンボルを復調できない。その結果、移動局で、意味のない雑音（ビーガー音）が発生するのを防止することができる。
【図面の簡単な説明】
【００１３】
【図１】本発明の実施形態における無線基地局の主要部の構成を示すブロック図である。
【図２】割当て管理テーブルの一例を示す。
【図３】時分割多重を行うためのＴＤＭＡ／ＴＤＤフレームの説明図である。
【図４】信号調整部５１の構成を示す図である。
【図５】ユーザ処理部５１ａの構成を示す図である。
【図６】一方のユーザのシンボルデータがずれて送信される例を示す説明図である。
【図７】本発明の実施形態における無線移動局の主要部の構成を示すブロック図である。
【図８】同期検波したＩ成分を示す。
【図９】移動局が他の移動局へ向けて送られた信号を受信する例を示す説明図である。
【発明を実施するための形態】
【００１４】
＜無線基地局の概略構成＞
図１は、本発明の実施形態における無線基地局の主要部の構成を示すブロック図である。
本無線基地局は、無線部１１、２１、３１、４１と、アンテナ１０、２０、３０、４０と、モデム部６０と、制御部８０と、ベースバンド部７０と、信号処理部５０とを備える。
＜無線部１１＞
無線部１１は、送信部１２と、受信部１３とから構成される。送信部１２は、信号処理部５０から入力されるベースバンド信号（シンボルデータ）を中間周波数信号（以後、ＩＦ信号と略す）にまで変調し、ＩＦ信号を高周波信号（以後、ＲＦ信号と略す）に変換し送信出力レベルにまで増幅してアンテナ１０に出力する。受信部１３は、アンテナ１０からの受信信号をＩＦ信号にまで変換し、ベースバンド信号（シンボルデータ）に復調する。
【００１５】
無線部２１、３１、４１は、無線部１１と同じ構成なので説明を省略する。
＜モデム部６０＞
モデム部６０は、ベースバンド信号をπ／４シフトＱＰＳＫ（Ｑｕａｄｒａｔｕｒｅ  Ｐｈａｓｅ  Ｓｈｉｆｔ  Ｋｅｙｉｎｇ）方式により変復及び復調を行う。
＜制御部８０＞
制御部８０は、具体的にはＣＰＵ及びメモリで構成され、本無線基地局全体を制御し、特に、制御チャネルを介して移動局から発信を受けた時、及び、網からの着信を受けた時、移動局に対して通信チャネルを割当てる。図２は、割当て管理テーブルの一例を示す。同図の割当て管理テーブルにおいて、横方向は時分割による通信チャネルを、縦方向はパス分割による多重化を示している。欄内のＰＳ−Ａ〜ＰＳ―Ｄは割当てられている移動局を示す。同図ではＰＳ―ＡとＰＳ−ＣとＰＳ−Ｄとが時分割多重され、ＰＳ―ＡとＰＳ―Ｂとがパス多重されている状態を示している。
＜ベースバンド部７０＞
ベースバンド部７０は、図外の網（公衆網又は自営網）と接続し、電話網９０との間でベースバンド信号の接続を行う。
【００１６】
また、ベースバンド部７０は、時分割多重化処理を行う。図３は、時分割多重を行うためのＴＤＭＡ／ＴＤＤフレームの説明図を示す。ここでは、いわゆるＰＨＳ電話システムのＴＤＭＡ／ＴＤＤフレームを示している。同図において、Ｔ０〜Ｔ３は送信タイムスロット、Ｒ０〜Ｒ３は受信タイムスロットである。制御チャネル（図中ＣＣＨ）は、送信タイムスロットと受信タイムスロットのペア（Ｔ０、Ｒ０）により構成される。また、通信チャネルＴＣＨ１、ＴＣＨ２、ＴＣＨ３は、（Ｔ１、Ｒ１）、（Ｔ２、Ｒ２）、（Ｔ３、Ｒ３）のペアによりそれぞれを構成される。通信チャネルＴＣＨ１、ＴＣＨ２、ＴＣＨ３は時分割による区別であるが、各通信チャネルは、さらにパス多重により複数の通信チャネルが形成される。
【００１７】
また、ベースバンド部７０は、移動局（ユーザ）へ送るベースバンド信号を当該移動局固有のパターンで秘話スクランブル処理する。秘話スクランブル処理された信号は、移動局によって移動局固有の秘密鍵コードでデスクランブルされ、もとの信号にもどすことができるが、秘密鍵コードが合わない場合には正しくもどされず、雑音（ビーガー音）となる。
＜信号処理部５０＞
信号処理部５０は、プログラマブルなディジタルシグナルプロセッサを中心に構成され、信号調整部５１と、クロック生成部５２と、応答ベクトル算出部５３とを有する。
【００１８】
クロック生成部５２は、パス多重する移動局（ユーザ）ごとに固有のクロックを発生し、それぞれを信号調整部５１に送る。本実施の形態では、説明の簡略化のためパス多重するユーザ数を２つとするので、クロック生成部５２は、ユーザＡ用のクロックＴＡ（図６（ｂ）に示す。）とユーザＢ用のクロックＴＢ（図６（ｃ）に示す。）を生成する。クロック生成部５２は、通常は、同一の時刻にクロックＴＡとクロックＴＢを生成するが、応答ベクトル算出部５２からユーザの方向が近接しているためにシンボルの送信時刻をずらすように指示を受けた場合には、ユーザＢ用のクロックＴＢをユーザＡ用のクロックＴＡに対して０．５シンボル期間ずらしてクロックを生成する。
【００１９】
信号調整部５１は、無線部１１〜４１から入力されるシンボルデータから、ユーザごとのシンボルデータを生成してモデム部６０に出力するとともに、モデム部６０から送られるユーザごとのシンボルデータから、無線部１１〜４１ごとのシンボルデータを生成して無線部１１〜４１へ出力する。
図４は、信号調整部５１の構成を示す図である。同図に示すように、信号調整部５１は、パス多重するユーザごとにユーザ処理部５１ａ、５１ｂを備える。同図のＸ１〜Ｘ４及びＳ１〜Ｓ４は、信号線や端子を示すが、説明の便宜上、当該信号線や端子が入出力されるシンボルデータ名をも示すものとする。Ｘ１〜Ｘ４は、無線部１１〜４１から信号調整部５１へ送られるシンボルデータを示し、Ｓ１〜Ｓ４は、信号調整部５１から無線部１１〜４１へ送られるシンボルデータを示す。
【００２０】
ユーザ処理部５１ａは、無線部１１〜４１からシンボルデータＸ１〜Ｘ４の入力を受付ける。ユーザ処理部５１ａは、これらのシンボルデータからユーザＡのシンボルデータＵａを生成して、モデム部６０に出力する。
また、ユーザ処理部５１ａは、モデム部６０からユーザＡのシンボルデータＵａの入力を受付ける。ユーザ処理部５１ａは、このシンボルデータから無線部１１〜４１へのシンボルデータＳａ１〜Ｓａ４を生成して、それぞれのシンボルデータを各無線部へ出力する。他のユーザ処理部５１ｂも、同様にして各無線部へシンボルデータＳｂ１〜Ｓｂ４を出力する。その結果、無線部１１には、各ユーザ処理部からのシンボルデータＳａ１とＳｂ１とが加算されたシンボルデータＳ１（＝Ｓａ１＋Ｓｂ１）が送られることになる。
【００２１】
次に、ユーザ処理部による処理の詳細について説明する。図５は、ユーザ処理部５１ａの構成を示す図である。
ウエイト算出部５５は、受信タイムスロットごとに最初の数個のシンボルデータを用いて、ウエイトを算出する。すなわち、ウエイト算出部５５は、クロックＴＡに従って、無線部１１〜４１から送られるシンボルデータＸ１〜Ｘ４と、参照信号発生部５０６から送られる固定のシンボルデータＤを用いて、Ｅ＝Ｄ−（Ｗａ１×Ｘ１＋Ｗａ２×Ｘ２＋Ｗａ３×Ｘ３＋Ｗａ４×Ｘ４）を最小化するように、ウエイトＷａ１〜Ｗａ４を算出する。このようにして算出されたウエイトＷａ１〜Ｗａ４は、その受信タイムスロットの残りのシンボルデータの受信において、及びその受信タイムスロットのペアとなる送信タイムスロットにおいて初期値として用いられる。
【００２２】
ウエイト算出部５５は、シンボルを受信する際に、上記のように算出されたウエイトＷａ１〜Ｗａ４をクロックＴＡに従って出力する。そして、乗算器５２１〜５２４及び加算器５０４によって、ユーザＡへのシンボルデータＵａ（＝Ｗａ１×Ｘ１＋Ｗａ２×Ｘ２＋Ｗａ３×Ｘ３＋Ｗａ４×Ｘ４）が生成される。生成されたユーザＡへのシンボルデータＵａは、モデム部６０へ送られる。
【００２３】
また、シンボルを送信する際には、モデム部６０から送られるユーザＡへのシンボルデータＵａは、一旦、バッファ５０７に格納される。バッファ５０７は、クロック生成部５２で生成したクロックＴＡに従ってシンボルデータＵａを出力する。ウエイト算出部５３は、前述のように算出されたウエイトＷａ１〜Ｗａ４をクロックＴＡに従って出力する。乗算器５８１〜５８４のそれぞれは、シンボルデータＵａとウエイトＷａ１〜Ｗａ４とを乗算して、乗算結果であるシンボルデータＳａ１（＝Ｗａ１×Ｕａ）、Ｓａ２（＝Ｗａ２×Ｕａ）、Ｓａ３（＝Ｗａ３×Ｕａ）、Ｓａ４（＝Ｗａ４×Ｕａ）を無線部１１〜４１へ出力する。
【００２４】
ユーザ処理部５１ｂのウエイト算出部は、クロックＴＢに従って、ウエイトの算出と、シンボルを送受信する際のウエイトの出力を行い、ユーザ処理部５１ｂのバッファはクロックＴＢに従って、ユーザＢへのシンボルデータＵｂを出力する。ここでユーザＡとユーザＢの方向が近接しているため、クロック生成部５２がクロックＴＢをクロックＴＡに対して０．５シンボル期間遅れて生成した場合には、ユーザ処理部５１ｂから出力されるシンボルデータＳｂ１〜Ｓｂ４は、ユーザ処理部５１ａから出力されるＳａ１〜Ｓａ４に対して、０．５シンボル期間遅れたものとなる。
【００２５】
図６は、一方のユーザのシンボルデータがずれて送信される例を示す説明図である。
同図に示すように、同一の時分割スロットＴ１に２つの移動局ＰＳ−Ａ（ユーザＡ）と、ＰＳ−Ｂ（ユーザＢ）とがパス多重されて割当てられ、これらの方向が近接しているも
のとする。クロック生成部５２は、ユーザ処理部５１ａに対してクロックＴＡを送り、ユーザ処理部５１ｂに対して、クロックＴＡに対して０．５シンボル期間遅れたクロックＴＢを送る。これによって、それぞれのユーザへ送られるシンボルデータがずれることになる。同図のＡ０、Ａ１、Ａ２、Ａ３は、ＰＳ−Ａへ向けて送られるシンボルデータを示し、同図のＢ０、Ｂ１、Ｂ２、Ｂ３は、ＰＳ−Ｂへ向けて送られるシンボルデータを示す。
【００２６】
このようなシンボルの送信タイミングの調整により、以下で説明するように、移動局では、パス多重された他方の移動局へ向けて送られたシンボルデータを受信したとしても、そのシンボルデータの送信時刻（従って、受信時刻）は、自局へのシンボルデータの送信時刻（従って、受信時刻）とずれているため、同期が合わず、受信した他の移動局へのシンボルデータをもとどおりに正しく復調しない。このような復調誤りがあると、復調したシンボル（音声信号）のデスクランブルが中止されるので、意味のない雑音（ビーガー音）が発生するのを防止することができる。つまり、無線基地局は、移動局で、他の移動局の信号を受信したとしても正しく復調できないように、移動局ごとにシンボルの送信時刻を変えて送信するようにしたところが、本発明の最も大きな特徴である。
＜応答ベクトル算出部５２＞
応答ベクトル算出部５０は、無線部１１から入力されるシンボルデータから、基地局から移動局への方向を示す応答ベクトルを算出する。応答ベクトルの算出方法を以下に説明する。ユーザＡへの応答ベクトルをＲａ＝（ｈ1A、ｈ2A、ｈ3A、ｈ4A）’とし、ユーザＢへの応答ベクトルをＲｂ＝（ｈ1B、ｈ2B、ｈ3B、ｈ4B）’とし、Ｒ＝（Ｒａ、Ｒｂ）とする。無線部１１〜４１からのシンボルデータＸ１〜Ｘ４を用いて、Ｘ＝（Ｘ１、Ｘ２、Ｘ３、Ｘ４）’とする。また、信号調整部５１で算出されたＵａ、Ｕｂを用いて、Ｕ＝（Ｕａ、Ｕｂ）’とする。そうすると、Ｘ＝ＲＵの関係式が成立するので、応答ベクトル算出部５３は、ＸとＵを用いて、各ユーザへの応答ベクトルＲａ、Ｒｂを算出する。当該応答ベクトルは、そのユーザ（移動局）の基地局からの方向を示す情報を含む。当該方向が近似している場合には、移動局は、他の移動局へ送られた信号を受信しやすくなるので、応答ベクトル算出部５３は、ユーザＡの方向とユーザＢの方向の差が一定値以下になった場合には、クロック生成部５２に対して、ユーザＢ用のクロックＴＢの生成時刻をユーザＡ用のクロックＴＡの生成時刻に対して遅らせるように指示を送る。
【００２７】
次に、上述の無線基地局から送られる信号を受信する側の無線移動局の処理について説明する。
＜無線移動局の構成＞
図７は、本発明の実施形態における無線移動局の主要部の構成を示すブロック図である。
【００２８】
本無線移動局は、無線部２００と、アンテナ２５０と、信号処理部２２０と、音声出力部２４０とを備える。
＜無線部２００＞
無線部２００は、変調器２０２と、送信回路２０１と、スイッチ２０５と、受信回路２０３と、復調器２０４とから構成される。
＜タイミング部２１０＞
タイミング部２１０は、同期調整部２１１と、クロック発生部２１２とを有する。＜同期調整部２１１＞
同期調整部２１１は、受信し復調したメッセージ列と同期ワードとが一致するように、クロック発生部２１２によるクロックの発生時刻を調整する。
【００２９】
また、同期調整部２１１は、同期の調整が終了した後でも、常時、同期ワードとメッセージ列の一致を調べ、不一致となった場合には、同期の再調整を行うとともに、制御部２２２に同期はずれを通知する。
＜クロック発生部２１２＞
クロック発生部２１２は、同期調整部２１１からの指示に基いて、クロックを発生する。復調器２０４では、このクロックに合わせてメッセージ列を復調する。
【００３０】
さて、ここで、移動局ＰＳ−Ａによる復調を例にとって、パス多重された他方の移動局ＰＳ−Ｂへ向けて送られてきた信号を受信した時に、当該信号を誤りをもって復調する過程について説明する。
復調器２０４は、受信信号を同期検波することによってＩ成分とＱ成分とを取得する。図８は、同期検波したＩ成分を示す。Ｑ成分についても、図示は省略するが同様な図で表わすことができる。
【００３１】
移動局ＰＳ−Ａは、１シンボル期間ごとに同期クロックを発生して、Ｉkを取得する。
同図のｔ1〜ｔ4は、ＰＳ−Ａの同期クロック発生時刻である。復調器２０４は、これらの同期クロックによって、Ｉ1〜Ｉ4＝｛０．５、−０．２５、−０．７５、０．７５｝を取得する。
その後、時刻ｔMで、移動局ＰＳ−Ａが、ＰＳ−Ｂに接近する等して、ＰＳ−Ｂを指向した送信信号の強度が強い地点へ移動したものとする。その結果、移動局ＰＳ−Ａは、基地局からＰＳ−Ａへ向けられた信号を受信せずに、パス多重された他の移動局ＰＳ―Ｂへ向けられた信号を受信する場合がある。
【００３２】
ＰＳ−Ａは、移動後もこれまでと同一の同期クロックで信号を復調する。同図のｔ5〜ｔ9は、ＰＳ−Ａの同期クロック発生時刻である。復調器２０４は、これらの同期クロックによって、Ｉ5（Ｆ）〜Ｉ9（Ｆ）＝｛−０．７５、０、０．７５、−０．２５、０．５｝を取得する。ところが、無線基地局の信号処理部５０において説明したように、基地局からＰＳ−Ｂへ送られるシンボルデータの送信時刻は、ＰＳ−Ａへ送られるシンボルデータの送信時刻に対して０．５シンボル期間分ずれているので、ＰＳ−Ｂへの本来の信号は、ｔ5’〜ｔ9’での信号Ｉ5（Ｔ）〜Ｉ9（Ｔ）＝｛０．５、−０．２５、０．５、−０．５、０．７５｝である。
【００３３】
以上のようにして、移動局は、他の移動局へ向けて送られた本来のＩk（Ｔ）を取得せずに、誤ったＩk（Ｆ）を取得する。移動局は、同様の理由により、誤ったＱk（Ｆ）を取得することになる。
ところで、Ｉk、Ｑkとメッセージ列との間には、以下の関係がある。
メッセージ列｛ａ1、ａ2、…、ａn、ａn+1、…｝における（ａn、ａn+1）が２値データ列（Ｘk、Ｙk）に対応する。そして、２値データ列（Ｘk、Ｙk）とＩk、Ｑkとの間には、以下の関係式が成立する。
【００３４】
Ｉk＝ＩK-1ｃｏｓ［θ（Ｘk、Ｙk）］−Ｑk-1ｓｉｎ［θ（Ｘk、Ｙk）］
Ｑk＝ＩK-1ｓｉｎ［θ（Ｘk、Ｙk）］＋Ｑk-1ｃｏｓ［θ（Ｘk、Ｙk）］
θ＝―３π／４の場合、Ｘk＝１、Ｙk＝１
θ＝３π／４の場合、Ｘk＝０、Ｙk＝１
θ＝π／４の場合、Ｘk＝０、Ｙk＝０
θ＝―π／４の場合、Ｘk＝１、Ｙk＝０
上式に基いて、Ｉk、Ｉk-1、Ｑk、Ｑk-1より、２値データ列（Ｘk、Ｙk）が得られ、これよりメッセージ列ａnが得られる。
【００３５】
従って、上述のようなＩk、Ｑkの誤りに起因して、メッセージ列ａnも当然に誤ったメッセージ列に変換される。その結果、復調したメッセージ列が同期ワードと異なることにより同期はずれが発生する場合や、同期ワードは一致していたとしても、ＣＲＣエラーが発生する場合がある。
＜信号処理部２２０＞
信号処理部２２０は、エラー判定部２２１と、制御部２２２と、デスクランブル処理部２２３とを有する。
＜エラー判定部２２１＞
エラー判定部２２１は、無線部２００から送られてくるメッセージ列に対して、ＣＲＣチェックを行い、エラーの有無を制御部２２２に通知する。
＜制御部２２２＞
制御部２２２は、同期調整部２１１から同期はずれの通知を受けた場合、又はエラー判定部２２１からエラーの通知を受けた場合には、デスクランブル処理部２２３に対して、メッセージ列のデスクランブルを中止させる。
＜デスクランブル処理部２２３＞
デスクランブル処理部２２３は、無線部２００より送られてくるメッセージ列をデスクランブルする。他の移動局へ向けて送られたメッセージ列は同期はずれやエラーが発生しているので、制御部２２２のデスクランブルの中止指示があり、デクスランブル処理部２２３は、当該メッセージ列をデスクランブルしない。従って、デスクランブル処理部２２３は、秘密鍵キーが合わないような他の移動局へのメッセージ列をデスクランブルすることがない。
＜音声出力部２４０＞
音声出力部２４０は、スピーカーで構成され、デスクランブル処理部２２３によって、デスクランブルされたメッセージ列（音声信号）を出力する。デスクランブル処理部２２３でデスクランブルされるのは、秘密鍵キーが一致するようなメッセージ列のみなので、誤った秘密鍵キーによりデスクランブルされた意味のない雑音（ビーガー音）を発生することがない。
【００３６】
以上のように、本実施形態における無線基地局は、パス多重された移動局へ送るシンボルの送信時刻を１シンボル期間内の適当な時刻分だけずらす処理を行う。このように送信タイミングを調整することによって、移動局では、パス多重された他方の移動局へ向けて送られたシンボルを受信したとしても、受信した信号からもとのシンボルを正しく復調できずに、誤ったシンボルを復調する。その結果、移動局で意味のない雑音（ビーガー音）の発生を防止することができる。
【００３７】
なお、本発明は、上記実施形態には限定されるものでなく、以下の変形例も本発明に含まれることは勿論である。
（変形例１）
本実施の形態では、２つの移動局がパス多重されている場合の送信タイミングの調整について説明したが、これに限定するものではない。例えば、同一の時分割スロットに３つの移動局（ＰＳ−１、ＰＳ−２、ＰＳ−３）がパス多重されている場合には、ＰＳ−１へのシンボルデータの送信時刻に対して、ＰＳ−２へのシンボルデータの送信時刻を０．３３シンボル期間だけずらし、さらに、ＰＳ−３へのシンボルデータの送信時刻を０．３３シンボル期間だけずらすものとすることによって、移動局で、他の移動局へ向けて送られたシンボルデータを誤って復調されやすくすることができる。
【００３８】
同様に、一般に、Ｎ個にパス多重されている場合には、それぞれのシンボルの送信時刻をＫ／Ｎ（Ｋ＝０、１、２、…、Ｎ−１）×Ｔ（シンボル期間）とすることができる。
さらに、１シンボル期間内に制限されることなく、１シンボル期間を超えて、例えば、１シンボル期間、１．５シンボル期間、又は２シンボル期間ずらすような送信タイミング調整を図ることも可能である。例えば、１シンボル期間ずらすとすると、もとのシンボルデータの値は正しく復調されることになるが、復調したシンボルの系列をずらすことができる。すなわち、本来のシンボル系列｛ａ0、ａ1、ａ2、…｝が１シンボル期間ずれて送信されるため、移動局では、｛ａ1、ａ2、ａ3、…｝として誤って復調することによって、シンボルａ0が抜け落ち、同期ワードの不一致や、ＣＲＣエラーを発生させることができるようになる。
（変形例２）
本実施の形態では、パス多重している２つの移動局の方向が近似している場合に、シンボルの送信タイミングを調整するものとしたが、移動局の方向に係らず、常に送信タイミングを調整することとしてもよい。
【００３９】
また、多数のアンテナを備え、パス多重できる多重化数を多くした場合には、各移動局へのシンボルの送信時刻が近接することとなり、移動局で、他の移動局へのシンボルを誤って復調しにくくなる。従って、パス多重の多重化数が少ない場合には、常に送信タイミングを調整し、パス多重化の多重化数が多い場合には、方向が近似している移動局の集合に対象を絞って送信タイミングを調整することとしてもよい。
【符号の説明】
【００４０】
１０〜４０  アンテナ
１１〜４１  無線部
１２      送信部
１３      受信部
５０      信号処理部
５１      信号調整部
５１ａ、５１ｂ  ユーザ処理部
５２      クロック生成部
５３      応答ベクトル算出部
６０      モデム部
７０      ベースバンド部
８０      制御部
９０      電話網
２００    無線部
２０１    送信回路
２０２    変調器
２０３    受信回路
２０４    復調器
２０５    スイッチ
２１０    タイミング部
２１１    同期調整部
２１２    クロック発生部
２２０    信号処理部
２２１    エラー判定部
２２２    制御部
２２３    デスクランブル処理部
２４０    音声出力部
２５０    アンテナ
５０４    加算器
５０５    ウエイト算出部
５０６    参照信号発生部
５０７    バッファ
５２１〜５２４  乗算器
【図１】
2010161782.tif 000003
【図２】
2010161782.tif 000004
【図３】
2010161782.tif 000005
【図４】
2010161782.tif 000006
【図５】
2010161782.tif 000007
【図６】
2010161782.tif 000008
【図７】
2010161782.tif 000009
【図８】
2010161782.tif 000010
【図９】
2010161782.tif 000011